(57)【要約】【課題】拡径した突起部の支圧効果を有効に発現して充填材を効率よく締め固め、杭周囲に良好な地盤を造成して高い支持力を発揮することができる鋼管杭の施工法を提供すること。【解決手段】掘削孔１内に先端が閉塞した鋼管杭２を建て込むとともに、鋼管杭２の周囲に充填材３を充填し、鋼管杭２内部に拡径装置４を挿入し、鋼管杭２を内部から拡径して外周に突起部５を形成し、突起部５により充填材３を締め固める。【選択図】図１
2005083151.tif 000002
【特許請求の範囲】
【請求項１】
掘削孔内に先端が閉塞した鋼管杭を建て込むとともに、該鋼管杭の周囲に充填材を充填し、鋼管杭内部に拡径装置を挿入し、鋼管杭を内部から拡径して外周に突起部を形成し、該突起部により充填材を締め固めることを特徴とする鋼管杭の施工法。
【請求項２】
掘削孔内に建て込んだ鋼管杭にケーシングを外嵌し、鋼管杭の周囲に充填材を充填しながら、充填した充填材を前記ケーシングにより突き固めることを特徴とする請求項１記載の鋼管杭の施工法。
【請求項３】
掘削孔内に充填材を投入し、先端が閉塞した鋼管杭を該充填材内に圧入又は回転圧入して鋼管杭の体積分締め固めるとともに、鋼管杭内部に拡径装置を挿入し、鋼管杭を内部から拡径して外周部に突起部を形成し、該突起部により充填材を締め固めることを特徴とする鋼管杭の施工法。
【請求項４】
突起部を形成した後に、鋼管杭内に充填材を充填し、膨張、固化させることを特徴とする請求項１、２又は３記載の鋼管杭の施工法。
【請求項５】
突起部の高さを杭径の０．１〜０．３倍とするとともに、突起部の杭軸方向の間隔を突起部の高さ〜１ｍの範囲とし、かつ掘削孔径を突起部の直径の１．２〜２．０倍とすることを特徴とする請求項１、２、３又は４記載の鋼管杭の施工法。
【請求項６】
前記充填材が、膨張性及び固化性を有するスラグからなることを特徴とする請求項１、２、３、４又は５記載の鋼管杭の施工法。
【請求項７】
前記膨張性及び固化性を有するスラグが、製鋼スラグ、ゴミ焼却スラグ、汚泥スラグの１種若しくは２種以上の混合物からなることを特徴とする請求項６記載の鋼管杭の施工法。
【請求項８】
前記膨張性及び固化性を有するスラグに、膨張性を消失した製鋼スラグ、高炉スラグ、フェロアロイスラグ、水砕スラグ、銅製錬スラグ、赤泥、フライアッシュ、ゴミ焼却灰、ガラス破砕物、廃石膏、コンクリート廃材等の産業廃棄物、石膏、生石灰、セメント、土砂、砕石、粘土等の建築用材料、人工材料、鉱物の１種若しくは２種以上を混合した、膨張性及び固化性を有するスラグの膨張性及び固化性を利用できるものであることを特徴とする請求項６又は７記載の鋼管杭の施工法。
【請求項９】
掘削孔内に充填材中で先端が閉塞した鋼管杭を拡径装置により内部から拡径し外周に突起部を形成して充填材を締め固め、鋼管杭を定着させてなることを特徴とする鋼管杭を用いた基礎構造。
【請求項１０】
突起部の突出高さを鋼管杭の先端に向かって順次小さくなるように形成したことを特徴とする請求項９記載の鋼管杭を用いた基礎構造。
【発明の詳細な説明】
【技術分野】
【０００１】
本発明は、上部構造物を支持する基礎杭構造において、埋設した鋼管杭を局部拡径して周面支持力を増大させる鋼管杭の施工法に関し、特に、拡径した突起部の支圧効果を有効に発現して充填材を効率よく締め固め、杭周囲に良好な地盤を造成して高い支持力を発揮することができる鋼管杭の施工法に関するものである。
【背景技術】
【０００２】
例えば、プレボーリングして杭を埋設し、杭周囲に充填材、特に膨張性を有する製鋼スラグを充填し、該スラグを膨張させて杭の支持力を高めるようにした既製杭（鋼管杭）の施工法がある（例えば、特許文献１参照）。
また、鋼管杭をプレボーリング又は圧入により埋設し、鋼管杭を内部側から局部拡径して外周に突起部を形成し、突起部を掘削孔地山面に圧着あるいは貫入させて、鋼管杭周面から地盤に伝達される力を増大させる鋼管杭の施工法も知られている（例えば、特許文献２参照）。
【０００３】
ところで、前者の杭の施工法において、製鋼スラグの膨張特性を発揮させるには、密にスラグを充填する必要があるが、スラグを効率よく締め固める方法は開示されていない。
また、後者は、例えば、砂質土と粘性土では支持力伝達に差があるように、鋼管杭の周面支持力が周囲地盤の性状で大きく異なり、特に、突起部下面近傍の地盤の性状が周面支持力に関係するという問題を有している。
【特許文献１】特許第３３８０８６１号公報
【特許文献２】特開２０００−１２００６６号公報
【発明の開示】
【発明が解決しようとする課題】
【０００４】
本発明は、上記従来の鋼管杭の施工法が有する問題点に鑑み、拡径した突起部の支圧効果を有効に発現して充填材を効率よく締め固め、杭周囲に良好な地盤を造成して高い支持力を発揮することができる鋼管杭の施工法を提供することを目的とする。
【課題を解決するための手段】
【０００５】
上記目的を達成するため、本第１発明の鋼管杭の施工法は、掘削孔内に先端が閉塞した鋼管杭を建て込むとともに、該鋼管杭の周囲に充填材を充填し、鋼管杭内部に拡径装置を挿入し、鋼管杭を内部から拡径して外周に突起部を形成し、該突起部により充填材を締め固めることを特徴とする。
【０００６】
この場合において、掘削孔内に建て込んだ鋼管杭にケーシングを外嵌し、鋼管杭の周囲に充填材を充填しながら、充填した充填材を前記ケーシングにより突き固めることができる。
【０００７】
また、本第２発明の鋼管杭の施工法は、掘削孔内に充填材を投入し、先端が閉塞した鋼管杭を該充填材内に圧入又は回転圧入して鋼管杭の体積分締め固めるとともに、鋼管杭内部に拡径装置を挿入し、鋼管杭を内部から拡径して外周部に突起部を形成し、該突起部により充填材を締め固めることを特徴とする。
【０００８】
そして、上記本第１発明及び本第２発明の鋼管杭の施工法において、突起部を形成した後に、鋼管杭内に充填材を充填し、膨張、固化させることができる。
【０００９】
また、突起部の高さを杭径の０．１〜０．３倍とするとともに、突起部の杭軸方向の間隔を突起部の高さ〜１ｍの範囲とし、かつ掘削孔径を突起部の直径の１．２〜２．０倍とすることができる。
【００１０】
また、前記充填材に、膨張性及び固化性を有するスラグを用いることができる。
そして、この膨張性及び固化性を有するスラグに、製鋼スラグ（転炉スラグ及び／又は電気炉スラグ（酸化スラグ及び／又は還元スラグ）をいい、ここでは、特に、エージング処理を行っていない製鋼スラグのほか、エージング処理を部分的に行うことにより膨張性を調整した製鋼スラグ等の膨張性を消失させていない製鋼スラグをいう。）、ゴミ焼却スラグ、汚泥スラグの１種若しくは２種以上の混合物を用いることができる。
さらに、前記膨張性及び固化性を有するスラグに、膨張性を消失した製鋼スラグ、高炉スラグ、フェロアロイスラグ、水砕スラグ、銅製錬スラグ、赤泥、フライアッシュ、ゴミ焼却灰、ガラス破砕物、コンクリート廃材、廃石膏等の産業廃棄物、石膏、生石灰、セメント、土砂、砕石、粘度等の建築用材料、人工材料、鉱物の１種若しくは２種以上を混合した、膨張性及び固化性を有するスラグの膨張性及び固化性を利用できるものを用いることができる。
【００１１】
また、上記の鋼管杭の施工法によって施工される本発明の鋼管杭を用いた基礎構造は、掘削孔内に充填材中で先端が閉塞した鋼管杭を拡径装置により内部から拡径し外周に突起部を形成して充填材を締め固め、鋼管杭を定着させてなることを特徴とする。
【００１２】
この場合において、突起部の突出高さを鋼管杭の先端に向かって順次小さくなるように形成することができる。
【発明の効果】
【００１３】
本第１発明の鋼管杭の施工法によれば、掘削孔内に先端が閉塞した鋼管杭を建て込むとともに、該鋼管杭の周囲に充填材を充填し、鋼管杭内部に拡径装置を挿入し、鋼管杭を内部から拡径して外周に突起部を形成し、該突起部により充填材を締め固めることから、突起部の上方部及び下方部の支圧効果を有効に発現して充填材を効率よく締め固め、杭周囲に良好な地盤を造成して高い支持力を発揮することができる。
【００１４】
この場合において、掘削孔内に建て込んだ鋼管杭にケーシングを外嵌し、鋼管杭の周囲に充填材を充填しながら、充填した充填材を前記ケーシングにより突き固めることにより、充填材を一層効率よく締め固め、杭周囲に良好な地盤を造成してより高い支持力を発揮することができる。
【００１５】
また、本第２発明の鋼管杭の施工法によれば、掘削孔内に充填材を投入し、先端が閉塞した鋼管杭を該充填材内に圧入又は回転圧入して鋼管杭の体積分締め固めるとともに、鋼管杭内部に拡径装置を挿入し、鋼管杭を内部から拡径して外周部に突起部を形成し、該突起部により充填材と杭周囲の地盤をさらに締め固めることから、突起部の上方部及び下方部の支圧効果を有効に発現して充填材を効率よく締め固め、杭周囲に良好な地盤を造成して高い支持力を発揮することができる。
【００１６】
そして、上記本第１発明及び本第２発明の鋼管杭の施工法において、突起部を形成した後に、鋼管杭内に充填材を充填し、膨張、固化させることにより、鋼管杭の局部座屈を防止し、突起部の大きさや形状を自由に選択して形成することができる。この場合、鋼管杭内の充填材は、鋼管杭周囲の充填材と同じ材料で組み合わせは適宜決定するものとする。
【００１７】
また、突起部の高さを杭径の０．１〜０．３倍とするとともに、突起部の杭軸方向の間隔を突起部の高さ〜１ｍの範囲とし、かつ掘削孔径を突起部の直径の１．２〜２．０倍とすることにより、複数の突起部の支圧効果が影響し合わないように、かつ経済性も考慮して低コストにて施工することができる。
【００１８】
また、前記充填材に、膨張性及び固化性を有するスラグを用いることができ、さらに、この膨張性及び固化性を有するスラグは、製鋼スラグ、ゴミ焼却スラグ、汚泥スラグの１種若しくは２種以上の混合物を用いることができる。
また、前記膨張性及び固化性を有するスラグに、膨張性を消失した製鋼スラグ、高炉スラグ、フェロアロイスラグ、水砕スラグ、銅製錬スラグ、赤泥、フライアッシュ、ゴミ焼却灰、ガラス破砕物、コンクリート廃材、廃石膏等の産業廃棄物、石膏、生石灰、セメント、土砂、砕石、粘度等の建築用材料、人工材料、鉱物の１種若しくは２種以上を混合した、膨張性及び固化性を有するスラグの膨張性及び固化性を利用できるものを用いることができる。
これにより、膨張性及び固化性を有するスラグが吸水し、膨張、固化することによって、杭の周囲の地盤を容易に、静的に、かつ確実に締め固めることができ、さらに、既製杭の施工法の場合、ソイル硬化物層と既製杭との付着を一層密に行い、これによって、膨張力が杭の支持力を高めることができ、また、セメントの使用量を減らすことができる。
また、産業廃棄物である製鋼スラグ等の有効利用を図ることができ、循環型社会の形成に寄与することができる。
【００１９】
また、本発明の鋼管杭を用いた基礎構造によれば、掘削孔内に充填材中で先端が閉塞した鋼管杭を拡径装置により内部から拡径し外周に突起部を形成して充填材を締め固め、鋼管杭を定着させてなることから、突起部の上方部及び下方部の支圧効果を有効に発現して充填材を効率よく締め固め、杭周囲に良好な地盤を造成して高い支持力を発揮することができる。
【００２０】
この場合において、突起部の突出高さを鋼管杭の先端に向かって順次小さくなるように形成することにより、突起部の形成工程を簡略化しながら、突起部の支圧効果を有効に発現させることができる。
【発明を実施するための最良の形態】
【００２１】
以下、本発明の鋼管杭の施工法の実施の形態を図面に基づいて説明する。
【実施例１】
【００２２】
図１〜図２に、本発明の鋼管杭の施工法の第１実施例を示す。
この鋼管杭の施工法は、掘削孔１内に先端が閉塞した鋼管杭２を建て込むとともに、該鋼管杭２の周囲に充填材３を充填し、鋼管杭２内部に拡径装置４を挿入し、鋼管杭２を内部から拡径して外周に突起部５を形成し、該突起部５により充填材３を締め固めるようにする。
【００２３】
この場合、拡径装置４には、特に限定されるものではないが、加える力が釣り合うように少なくとも２方向に油圧シリンダによって伸縮するロッド４１と、該ロッド４１の先端に形成した、例えば、半球状の突起形成部４２とを備えたものを用いることができる。
この拡径装置４は、所定の高さ位置で所定角度ずつ回転させながら複数回油圧シリンダによってロッド４１を伸縮させることにより、鋼管杭２の全周に円環状の突起部５を形成することができるものである。
【００２４】
具体的には、図１に示すように、
（ａ）既存のオーガースクリュー６等で所定深度まで掘削し、掘削土（図示省略）をオーガースクリュー６と共に地上に上げる。
【００２５】
（ｂ）先端閉塞の鋼管杭２を建て込む。
一例として、直径５００ｍｍ、板厚１０ｍｍの鋼管杭２を建て込むようにする。
【００２６】
（ｃ）鋼管杭２の周囲に充填材３を充填する（杭先端下部を含む）。
一例として、充填材３として、製鋼スラグ（粒径１０ｍｍ以下）７０％、水砕スラグ（粒径２ｍｍ以下）３０％の混合物を充填する。
また、杭周囲に充填材３を充填する前に掘削底部根固め用として、製鋼スラグとセメント又は石膏等との混合物を充填して、この根固め部領域に突起部５を形成することもできる。
なお、製鋼スラグは、粒度分布の悪い方が締め固め効果が良い。
【００２７】
（ｄ）拡径装置４を鋼管杭２の内部に挿入し、杭頭レベルが変位することを考慮して、鋼管杭２の下方から順に内部から局部拡径して外周に突起部５を形成する。
これにより、特に突起部５周囲の充填材３が締め固められるとともに、充填材３として用いるスラグが角張っていることも作用して、かなり広い範囲において、充填材３を介して周囲の孔壁地盤を締め固めることができる。
このように、鋼管杭２を内部から局部拡径することにより、さらに、充填材３と周囲地盤を締め固めることができる。
この場合、突起部５の形状は、例えば、図２（ｂ）に示すように、鋼管杭の全周に形成された円環状の断面が円弧形のものや、図２（ｃ）に示すように、円環状の断面が下方に垂れた円弧形のものにすることができる。
ここで、突起部５の形状を、図２（ｃ）に示すように、円環状の断面が下方に垂れた円弧形のものにすることにより、突起部下方部の支圧効果を増して一層高い支持力を発揮することができる。
【００２８】
（ｅ）突起部５を形成した後に、鋼管杭２内に充填材３（ここで、充填材３には、掘削土砂を混合したものを含むものとする。）を充填し、膨張、固化させるようにする。
これにより、固化材を介して軸力を伝達できるので、鋼管杭２の局部座屈を防止し、突起部５の大きさや形状を自由に選択して形成することができる。
【００２９】
また、図２（ａ）に示すように、上層が軟弱でネガティブフリクションがかかる地盤７に対応する杭部分に対しては、鋼管杭２の拡径は行わず、その他の部分で拡径を行うようにする。
この場合、杭先端部に強固な地盤がある場合は拡底部８を掘削して設け、根固め用充填材３ａとして製鋼スラグに富配合のセメント又は石膏を混合して充填し、固化強度が支持地盤と同等かそれ以上になるようにする。
そして、拡底部８に対応する鋼管杭２部分に、突起部５を少なくとも一条以上設けて固定する。
また、拡底部８に対応する鋼管杭２内部の充填材３ｂは、上記の固化強度が大きいものを充填する。
【００３０】
ところで、鋼管杭２の周囲に充填材３を充填するに当たって、図３に示す変形例に示すように、掘削孔１内に建て込んだ鋼管杭２にケーシング９を外嵌し、鋼管杭２の周囲に充填材３を充填しながら、充填した充填材３をケーシング９により突き固めるようにすることができる（図３（ｃ１）（ｃ２））。
この場合、ケーシング９には、図３（ｃ１）に示すように、先端に螺旋翼等の押圧板９１（必要に応じて、中間部にそれよりピッチの大きい螺旋翼９２）を配設し、孔壁とケーシング９の間から充填材３を投入しながら、ケーシング９を上下動又は回転させながら上下動して徐々に引き上げることにより、充填した充填材３を十分に突き固めるようにすることが好ましい。
これにより、充填材３を一層効率よく締め固め、杭周囲に良好な地盤を造成してより高い支持力を発揮することができる。
【実施例２】
【００３１】
次に、図４を参照して、本発明の鋼管杭の施工法の第２実施例を説明する。
この鋼管杭の施工法は、掘削孔１内に充填材３を投入し、先端が閉塞した鋼管杭２を該充填材３内に圧入又は回転圧入するとともに、鋼管杭２内部に拡径装置４を挿入し、鋼管杭２を内部から拡径して外周部に突起部５を形成し、該突起部５により充填材３を締め固めるようにする。
【００３２】
具体的には、図４に示すように、
（ａ）既存のオーガースクリュー６等で所定深度まで掘削し、掘削土（図示省略）をオーガースクリュー６と共に地上に上げる。
【００３３】
（ｂ）掘削孔１内に充填材３、例えば、３０ｍｍ以下の粒度分布の悪い（分散した）ものが良く、一例として、製鋼スラグ（粒径３０ｍｍ以下）７０％、水砕スラグ（粒径２ｍｍ以下）３０％の混合物を杭頭レベルまで充填、又は根固め用として製鋼スラグにセメント又は石膏を混合した混合物を掘削孔先端部の根固め部に充填する。
【００３４】
（ｃ）先端閉塞した鋼管杭２を圧入及び回転圧入する。根固め層を造成する場合、根固め層内に圧入する。杭の体積分、充填材３と充填材３を介して、周囲地盤を締め固めることができる。鋼管杭２の鉛直性と杭芯精度を向上させるため、杭先端にシュー（図示省略）を配設することが望ましく、また、少なくとも杭先端に一巻のスクリュー羽根を配設して回転圧入するようにすることもできる。
なお、製鋼スラグは、粒度分布の悪い方が締め固め効果が良い。
【００３５】
（ｄ）拡径装置４を鋼管杭２内部に挿入し、鋼管杭２の下方から順に内部から局部拡径して外周に突起部５を形成する。この場合、突起部５を形成することにより、杭頭レベルが変位するので、縮み代を考慮して、鋼管杭２の長さを設計するようにする。
これにより、特に突起部５周囲の充填材３が締め固められるとともに、充填材３として用いるスラグが角張っていることも作用して、かなり広い範囲において、充填材３を介して周囲の孔壁地盤を締め固めることができる。
このように、鋼管杭２を内部から局部拡径することにより、さらに、充填材３と周囲地盤を締め固めることができる。
この場合、突起部５の形状は、例えば、図２（ｂ）に示すように、鋼管杭の全周に形成された円環状の断面円弧形や、図２（ｃ）に示すように、円環状の断面が鉤型の三角形にすることができる。
【００３６】
（ｅ）突起部５を形成した後に、鋼管杭２内に充填材３を充填し、膨張、固化させるようにする。
これにより、固化材を介して軸力を伝達できるので鋼管杭２の局部座屈を防止し、突起部５の大きさや形状を自由に選択して形成することができる。
【００３７】
次に、突起部５の高さ、突起部５同士の間隔及び突起部５と掘削孔径との関係を説明する。
突起部５の高さは杭径の０．１〜０．３倍、突起部５の杭軸方向の間隔は突起部５の高さ〜１ｍの範囲、掘削孔径は突起部５の直径（拡径部径）の１．２〜２．０倍とすることが好ましい。
一例として、下記表１にそれらの関係を示す。
【００３８】
【表１】
2005083151.tif 000003
【００３９】
（１）突起部５の高さは、杭径の０．１倍未満では高い周面抵抗により周面支持力を増すという節杭本来の機能が必ずしも十分とはいえず、また、杭径の０．３倍以下としたのは、鋼管杭２の強度を維持しながら周面支持力が十分発揮されるという理由による。
【００４０】
（２）突起部５の間隔は、下限を突起部高さとしたのは、突起部直下から突起部高さ程度の範囲までが高圧になるためで、上限を１ｍとしたのは各突起部５の支圧効果が影響し合わないことを理由とする。
【００４１】
（３）掘削径を突起部径の１．２〜２．０倍としたのは、製鋼スラグを主成分とする充填材３が膨張、固化して節付鋼管杭２と一体になった場合、突起部５の支圧効果が効果的に発揮できることによる。なお、掘削径は最低でも１．２倍必要である。
また、最大２．０倍としたのは、支圧効果が影響しうる範囲であることによる。最適には、掘削径が突起部径の１．２〜１．５倍が好ましい。
杭周摩擦力の発現面は、掘削孔１に充填した充填材３と周辺地盤との間で生じる。
しかし、杭頭からの荷重は杭体と充填材３との付着によって伝達される。掘削径が２．０倍を越えると、杭周摩擦力の発現面が充填材３と周辺地盤との間ではなく、突起部径を外径とする包絡線上より若干外側で剪断が起きるので、結果として杭周摩擦力は低下する。
【００４２】
上記（１）〜（３）の各条件は、要求される支持力、地盤条件、強度等に応じて適宜組み合わせるものとする。各突起部５の支圧効果は突起部間隔と突起部高さと掘削径並びに杭周地盤の相対密度、内部摩擦角、及び粘着力等地盤条件に影響される。
また、これらの条件は、各突起部５の支圧効果が影響し合わないように、かつ経済性も考慮に入れて決定する。
【００４３】
一方、前記充填材３としては、膨張性及び固化性を有するスラグを用いることができる。
そして、この膨張性及び固化性を有するスラグとして、製鋼スラグ、ゴミ焼却スラグ、汚泥スラグの１種若しくは２種以上の混合物を用いることができる。
さらに、前記膨張性及び固化性を有するスラグに、膨張性を消失した製鋼スラグ、高炉スラグ、フェロアロイスラグ、水砕スラグ、銅製錬スラグ、赤泥、フライアッシュ、ゴミ焼却灰、ガラス破砕物、コンクリート廃材、廃石膏等の産業廃棄物、石膏、生石灰、セメント、土砂、砕石、粘度等の建築用材料、人工材料、鉱物の１種若しくは２種以上を混合した、膨張性及び固化性を有するスラグの膨張性及び固化性を利用できるものを用いることができる。
この場合も、スラグに掘削土砂を混合したものを排除しない。
【００４４】
これにより、膨張性及び固化性を有するスラグが吸水し、膨張、固化することによって、杭の周囲の地盤を容易に、静的に、かつ確実に締め固めることができ、さらに、既製杭の施工法の場合、ソイル硬化物層と既製杭との付着を一層密に行い、これによって、膨張力が杭の支持力を高めることができ、また、セメントの使用量を減らすことができる。
また、産業廃棄物である製鋼スラグ等の有効利用を図ることができ、循環型社会の形成に寄与することができる。
【実施例３】
【００４５】
ところで、上記各実施例においては、鋼管杭２の突起部５の突出高さをすべて等しい高さに形成するようにしたが、図５に示す本発明の鋼管杭の施工法の第３実施例に示すように、突起部５の突出高さを鋼管杭２の先端に向かって順次小さくなるように形成することができる。
この場合、突起部５を形成する間隔を鋼管杭２の先端に向かって順次小さくなるように形成するようにする。
具体例としては、掘削径Ｄ１φ８００ｍｍ、杭径Ｄ２φ４００ｍｍの場合で、突起部５の径（拡径部径）を、φ６４０ｍｍ（上部の突起部５１）、φ６００ｍｍ（中間部の突起部５２）及びφ５６０ｍｍ（下部の突起部５３）に、突起部５を形成する間隔を２６０ｍｍ（上部の突起部５１と中間部の突起部５２との間隔）及び２００ｍｍ（中間部の突起部５２と下部の突起部５３との間隔）に形成するようにしている。
これにより、突起部５の形成工程を簡略化しながら、突起部５の支圧効果が影響せず、支持力を有効に発現させることができる。
【実施例４】
【００４６】
また、図６に示す本発明の鋼管杭の施工法の第４実施例に示すように、掘削孔１の掘削径の大きさ及び突起部５の突出高さを、地盤の性状、要求される支持力及び水平応力等により、深さ方向で適宜変更することができる。
この場合、掘削孔１の掘削径の大きさと突起部５の突出高さは、正の相関関係があるように設定するようにする。
具体例としては、上部掘削孔１１及び下部掘削孔１３の掘削径φ１２８０ｍｍ、中間部掘削孔１２の掘削径φ６５０ｍｍ、杭径φ４００ｍｍの場合で、突起部５の径（拡径部径）を、φ６４０ｍｍ（上部掘削孔１１及び下部掘削孔１３の位置の突起部５）及びφ５２０ｍｍ（中間部掘削孔１２の位置の突起部５）に形成するようにしている。
これにより、地盤の性状、要求される支持力及び水平応力等に合わせて、突起部５の支圧効果を有効に発現させることができる。
【００４７】
以上、本発明の実施例を説明したが、本発明の鋼管杭の施工法は、この実施例の記載に限定されるものではなく、その趣旨を逸脱しない範囲において適宜に変更することが可能である。
【産業上の利用可能性】
【００４８】
本発明の鋼管杭の施工法及び鋼管杭を用いた基礎構造は、拡径した突起部の支圧効果を有効に発現して充填材を効率よく締め固め、杭周囲に良好な地盤を造成して高い支持力を発揮することができることから、高い支持力を発揮することができる基礎構造を構築することができる。
【図面の簡単な説明】
【００４９】
【図１】本発明の鋼管杭の施工法の第１実施例を示す工程図である。
【図２】本発明の鋼管杭の施工法を示し、（ａ）は拡底部を設けた例を示す断面図、（ｂ）（ｃ）はそれぞれ突起部の形状を示す断面図である。  である。
【図３】本発明の鋼管杭の施工法の第１実施例の変形例を示す工程図である。
【図４】本発明の鋼管杭の施工法の第２実施例を示す工程図である。
【図５】本発明の鋼管杭の施工法の第３実施例を示す断面図である。
【図６】本発明の鋼管杭の施工法の第４実施例を示す断面図である。
【符号の説明】
【００５０】
１    掘削孔
２    鋼管杭
３    充填材
４    拡径装置
５    突起部
６    オーガースクリュー
７    軟弱地盤
８    拡底部
９    ケーシング
【図１】
2005083151.tif 000004
【図２】
2005083151.tif 000005
【図３】
2005083151.tif 000006
【図４】
2005083151.tif 000007
【図５】
2005083151.tif 000008
【図６】
2005083151.tif 000009